(57)【要約】【課題】 １つの植木鉢に同一品種または異種の観賞用花卉をポット苗の状態で複数個寄植えするための固定具を提供する。【解決手段】  複数個の同一品種の胡蝶蘭など観賞用花卉をポット苗２の状態で植木鉢３に寄せ植えするための固定具１であって、この固定具１の底面から複数本の支柱４を等間隔で立設し、この支柱４の内周側面を中央頂部から分岐するふたつの円弧面４ａに形成し、この円弧面４ａ及び底面中央に立設した円錐型突子８の側面８ａ間でポット苗２のポット５を挟み込み、支柱４の外周面４ｂを植木鉢３の内周面に当接させるようにした。【選択図】図１
0003117647.tif 000002
【実用新案登録請求の範囲】
【請求項１】
植木鉢（３）に嵌めこみ使用する草花固定用の固定具（１）であって、その底面から複数本の支柱（４）を等間隔で立設し、この支柱（４）の内周側面を中央頂部から分岐するふたつの円弧面（４ａ）に形成し、対向する円弧面（４ａ）及び底面中央に立設した円錐型突子（８）の側面（８ａ）間でポット苗（２）のポット（５）を挟み込み、支柱（４）の外周面（４ｂ）を植木鉢（３）の内周面に当接させるようにした植木鉢（３）に複数個のポット苗（２）を寄植えするための固定具。
【請求項２】
前記底面中央に立設した円錐形の突子（８）の側面（８ａ）を挿入するポット苗の数ほど連続させた複数個の円弧面とした請求項１記載の固定具。
【請求項３】
前記固定具（１）の底面が植木鉢（３）の底面とほぼ同形であり、前記支柱（４）が底面から上方に向かうほど外向きに広がるようになっており、前記支柱（４）の円弧面（４ａ）間の間隔が下側に行くほど下すぼまりになっている請求項１記載の固定具。
【請求項４】
前記支柱（４）の円弧面（４ａ）間の間隔が少なくとも直径１２cm以上のポット苗（２）のポット（５）を挿入できる大きさとした請求項１、３記載の固定具。
【請求項５】
前記支柱（４）の中ほどから下側は外径をやや大きく膨らませ、中ほどから上側は内側に傾くように外径を狭くした請求項１、３、４記載の固定具。
【請求項６】
前記固定具（１）の底面に少なくともポット苗の数ほどの排水口（６）と、排水口（６）間を連結する排水溝（７）を設けた請求項１記載の固定具。
【請求項７】
前記固定具（１）を発泡スチロールなど樹脂材料の成形品、または段ボール製の組立体とした請求項１記載の固定具。
【考案の詳細な説明】
【技術分野】
【０００１】
本考案は、花卉類のポット付き苗をそのままの状態で複数個寄せ植えするための固定具に関するものである。
【背景技術】
【０００２】
従来、胡蝶蘭などの観賞用花卉を１つの植木鉢に同品種をポット苗の状態で複数個寄せ植えするためには、普通の植木鉢または底面積の比較的広い植木鉢の内部に細かく粉砕した発泡スチロール等でできた株の固定具を手作業で入れながら行わなければならかった。しかし、このような固定手段の場合、植物を適当な位置に固定し美しく仕上げるまでに費やす時間および手数が多大なものとなる。また作業中に植物の花や葉を傷めたり、輸送中の振動により植木鉢内で植物が動いて傷めるという恐れもあった。
【０００３】
寄せ植え専用の植木鉢として隔壁で内室を隔てて複数の植物を寄せ植えできるものが下記の特許文献に開示されている。然しながらこれらはあくまでも区画毎に異なる草花を植え付ける混植用の植栽ポットであって、胡蝶蘭など観賞用花卉をポット苗の状態で複数個、１つの植木鉢に固定するためのものではない。
【特許文献１】特開平１１−１７８４４９
【特許文献２】特開平８−２８０２６３
【考案の開示】
【考案が解決しようとする課題】
【０００４】
本考案は、１つの植木鉢に同品種または異種の観賞用花卉をポット苗の状態で複数個寄植えするための固定具を提供する。
【課題を解決するための手段】
【０００５】
本考案の複数個のポット苗２を植木鉢３に寄植えするための固定具１は、請求項１記載のように、植木鉢３に嵌めこみ使用する固定具１であって、その底面から複数本の支柱４を等間隔で立設し、この支柱４の内周側面を中央頂部から分岐するふたつの円弧面４ａに形成し、対向する円弧面４ａ及び底面中央に立設した円錐型突子８の側面８ａ間でポット苗２のポット５を挟み込み、支柱４の外周面４ｂを植木鉢３の内周面に当接させるようにしたものであり、また請求項２記載のように、前記底面中央に立設した円錐形突子８の側面８ａを挿入するポット苗の数ほど連続させた複数個の円弧面とした。
【０００６】
さらに請求項３記載のように、前記固定具１の底面が植木鉢３の底面とほぼ同形であり、前記支柱４が底面から上方に向かうほど外向きに広がるようになっており、前記円弧面４ａ間の間隔が下側に行くほど下すぼまりになっている。また請求項４記載のように、前記支柱４の円弧面４ａ間の間隔が少なくとも直径１２cm以上のポット苗２のポット５を挿入できる大きさとした。さらに請求項５前記支柱４の中ほどから下側は外径をやや大きく膨らませ、中ほどから上側は内側に傾くように外径を狭くした。
【０００７】
さらに請求項６記載のように、前記固定具１の底面に少なくともポット苗の数ほどの排水口６と、排水口６間を連結する排水溝７を設けた。また請求項７記載のように、前記固定具１を発泡スチロールなど樹脂材料の成形品、または段ボール製の組立体としたこと等を特徴としている。
【考案の効果】
【０００８】
固定具の形状を鉢の大きさに合わせ、しかも下すぼまりの形状としたので鉢への収納が投げ込むだけで可能である。また同様にポット苗を保持する支柱間の間隔を下すぼまりとしたのでポット苗を上から挿入するだけでポット苗の固定が出来るので作業性が向上する。また円弧状の支柱内周面及び底面中央に設けた円錐突子の側面でポットを保持させるようにしたので鉢を移動する場合も苗が揺るがず傷むことが無い。
【０００９】
固定具の底面を鉢の底面から浮かせるようにし、さらに底面に複数個の排水口及び連結溝を設けたので水はけがよくポット苗が長期間傷まない。さらに固定具を発泡スチロールなど樹脂材料の成形品、または段ボール製の組立体としたので鉢の形状に合わせて製作も容易であり、コストも安い等の特徴がある。
【考案を実施するための最良の形態】
【００１０】
本考案は、複数個の同一品種の胡蝶蘭など観賞用花卉をポット苗２の状態で植木鉢３に寄せ植えするための固定具１であって、この固定具１の底面から複数本の支柱４を等間隔で立設し、この支柱４の内周側面を中央頂部から分岐するふたつの円弧面４ａに形成し、この円弧面４ａ及び底面中央に立設した円錐型突子８の側面８ａ間でポット苗２のポット５を挟み込み、支柱４の外周面４ｂを植木鉢３の内周面に当接させるようにした。
【実施例１】
【００１１】
以下、本考案のひとつの好適な実施形態を図面に基づき説明する。図1は本考案の植木鉢用固定具１を用いて複数個の同一品種の胡蝶蘭など観賞用花卉をポット苗２の状態で植木鉢３に寄植えした状態を示し、ポット苗２の固定具１は発泡スチロール製であって、図２に示すようにどの植木鉢にも落とし込み挿入ができるように植木鉢の形状に合わせ先すぼまりにしてある。本実施例においては植木鉢に合わせ底面が円形であり、この底面から上方に向かうほど外広がりな円錐形に位置付けられる３本の支柱４を等間隔で立ち上げてある。
【００１２】
そしてこの支柱４の内周側面を上から見て中央頂部から分岐するふたつの円弧面４ａに形成し、この円弧面４ａ及び底面中央に立設した円錐型突子８の側面８ａ間でポット苗２のポット５を挟み込みポット苗２を確実に固定具１へ固定するようにした。また支柱４の外周４ｂを植木鉢３の内周に当接するように形成してあるので固定具1はしっかりと植木鉢３内に保持される。
【００１３】
前記底面中央に立設した円錐形突子８の側面８ａは、挿入するポット苗の数ほど連続させた複数個の円弧面とした。従ってポット苗２のポット５も突子８の側面８ａにしっくりと保持される。そしてこの突子８の形状は、支柱３が構成する区画の数、すなわちポット苗２の数により変化するが、必ず挿入されたポット苗２の上下および横の動きを規制出来るような形状にしてある。例えば区画の数が３つの場合、周回りに配される３個のポット５が構成する円が小さいので突子８は小さな円錐となり、上から見て星型の３個の円弧面を有しており、この円弧面で周回りに配されるポット５を各押さえ込むようにした。しかし図６のように５本の支柱４、すなわち区画が５つの場合、周回りに配されるポット５の円が大きくなるので突子８は大きくなる。そして上から見て星型の５個の円弧面を有しており、この円弧面で周回りに配されるポット５を各押さえ込むようにした。
【００１４】
また対向する前記円弧面４ａ及び突子８の側面８ａ間の間隔は下側に行くほど狭い下すぼまりになっており、ポット苗２のポット５を上から落としこみ収容が出来るようにした。尚、支柱４間の間隔は大きさを限定するものではないが、少なくとも直径１２cm以上のポット苗２のポット５を挿入できる大きさとするのが好ましい。
【００１５】
さらに固定具１の底面には水はけを良くするために排水口６間を連結する排水溝７を設けてある。これにより寄せ植え後の水やりの際に余剰水がスムーズに排水される。通常、排水口６の数は支柱４間の区画の数すなわちポット苗２の数と同数とする。
【００１６】
また支柱４の中ほどから下側は外径をやや大きく膨らませ、固定具１の底面が植木鉢の底面よりやや浮くように設定してある。これは余剰水の水切りを良くするためである。さらに支柱４の中ほどから上側は、内側に傾くように外径を狭くし、植木鉢の上辺が接しないようにしてある。これはポット苗２を入れた際に、その空間を利用して水苔などで全体の見た目を美しく整えるためである。
【００１７】
固定具１は、鉢の内周面に密着してポット苗の上下、横動を規制するものであるが、ポット苗を実害のない状態にまで規制することができるものであれば、その材質については選ばない。例えば、発泡スチロールなどの樹脂材料の成形品、段ボール製の組立体など鉢の形状に適合する立体的な形状をなすものであれば何でも良い。
【００１８】
鉢植え植物は特に制限されず、草木、野菜、薬草（ハーブ）、観葉植物、果樹等のいずれでもよいが、特に胡蝶蘭＝学名ファレノプシス（Phalaenopsis）は好ましい一例である。胡蝶蘭の場合、一つの鉢に１本立ちとして販売するよりも、３本、５本と複数植えて商品価値をつける。
【００１９】
本考案の固定具１を用いて胡蝶蘭のポット苗２を複数個寄せ植えする場合は、あらかじめ植木鉢３の内部に固定具１を収容しておき、次いでポット苗２を順に支柱４間の区画内に収まるように挿入する。このときポット５の外周が突子８の円弧面及び支柱３の側面４ａ(円弧面)に当接して確実に保持されるようにする。
【実施例２】
【００２０】
図５〜図８は固定具１の支柱の数を５本とし、区画の数を５個とし、ポット苗を５本収容できるようにしたものである。この場合、先に説明したように突子８の周回りに均等に５個のポット苗２を配置する構成としたのでその円が大きくなる。従って突子８もまた形状が大きくなっている。
【図面の簡単な説明】
【００２１】
【図１】本考案の実施例１の固定具を用いて３本のポット苗を植木鉢に固定した状態を示す要部断面図である。(図４の矢視Ａ−Ａ断面図)
【図２】固定具の斜視図である。
【図３】植木鉢に固定具を入れた状態図である。
【図４】図３の平面図である。
【図５】実施例２の固定具を用いて５本のポット苗を植木鉢に固定した状態を示す要部断面図である。(図８の矢視Ａ−Ａ断面図)
【図６】実施例２の固定具の斜視図である。
【図７】植木鉢に実施例２の固定具を入れた状態図である。
【図８】図７の平面図である。
【符号の説明】
【００２２】
１  ポット苗固定具
２  ポット苗
３  植木鉢
４  支柱
５  ポット苗のポット
６  排水口
７  排水溝
８  突子
【図１】
0003117647.tif 000003
【図２】
0003117647.tif 000004
【図３】
0003117647.tif 000005
【図４】
0003117647.tif 000006
【図５】
0003117647.tif 000007
【図６】
0003117647.tif 000008
【図７】
0003117647.tif 000009
【図８】
0003117647.tif 000010
【手続補正書】
【提出日】平成17年10月28日(2005.10.28)
【手続補正１】
【補正対象書類名】実用新案登録請求の範囲
【補正対象項目名】請求項４
【補正方法】変更
【補正の内容】
【請求項４】
前記支柱４の円弧面４ａ間の間隔が少なくとも直径１２cm以上のポット苗２のポット５を挿入できる大きさとした請求項１または３記載の固定具。
【手続補正２】
【補正対象書類名】実用新案登録請求の範囲
【補正対象項目名】請求項５
【補正方法】変更
【補正の内容】
【請求項５】
前記支柱４の中ほどから下側は外径をやや大きく膨らませ、中ほどから上側は内側に傾くように外径を狭くした請求項１または３または４記載の固定具。